(57)【要約】【課題】  複数の鏡体部分からなる多面鏡を用いたミラーキャビネットにおいて、照明効果を向上させる。【解決手段】主鏡体部１の左右に副鏡体部２，２を隣接して成る多面鏡Ｕがキャビネット３に取り付けられる。主鏡体部１は前後方向に進退可能であり、副鏡体部２は主鏡体部１に近い方の内側縁部２ａに設けた回動手段９の回動軸を中心に回動可能である。初期位置では主鏡体部１及び副鏡体部２，２の表面が面一である。必要時に、主鏡体部１を前方へ引き出すと共に副鏡体部２，２を回動させ内側縁部２ａより外側縁部２ｂが前方となるように傾斜させる。主鏡体部１の裏面側に配設した光源７を点灯させると、光源７から投射された光が副鏡体部２，２により反射されて、主鏡体部１の正面に位置する使用者Ｘの顔を照らすことができる。【選択図】      図２
2006340877.tif 000002
【特許請求の範囲】
【請求項１】
主鏡体部と、該主鏡体部に隣接して配置された副鏡体部とを備える多面鏡であって、前記主鏡体部は、前後方向へ進退可能であると共に裏面側に光源が設けられ、前記副鏡体部は、前記主鏡体部に近い方の内側縁部が遠い方の外側縁部より後方となるように傾斜可能に構成され、前記主鏡体部を前記副鏡体部の内側縁部より前方へ前進させると共に前記副鏡体部を傾斜させた状態において、前記主鏡体部裏面側の光源から投射された光が、前記副鏡体部で反射されることを特徴とする多面鏡。
【請求項２】
前記主鏡体部の左右に副鏡体部を配置した三面鏡構造である請求項１に記載の多面鏡。
【請求項３】
前記副鏡体部の内側縁部又はその近傍に当該副鏡体部を傾斜させる回動手段が設けられると共に、当該回動手段の回動軸を前後方向へ進退可能に構成した請求項１又は２に記載の多面鏡。
【請求項４】
前記副鏡体部は、当該副鏡体部の表面と平行であって且つ当該副鏡体部の内側縁部から外側縁部へ向かう方向へ移動可能である請求項１乃至３のいずれかに記載の多面鏡。
【請求項５】
前記主鏡体部に、前記光源から投射される光が通過可能な光透過部を形成した請求項１乃至４のいずれかに記載の多面鏡。
【請求項６】
前記主鏡体部の一方の側縁部に、当該主鏡体部を回動可能に支持する回動手段を設けた請求項１乃至５のいずれかに記載の多面鏡。
【請求項７】
前記主鏡体部が前後方向及び上下方向に移動可能である請求項１乃至６のいずれかに記載の多面鏡。
【発明の詳細な説明】
【技術分野】
【０００１】
本発明は、複数の鏡体部分からなる多面鏡に関し、詳しくは、鏡体部分を可動に構成したものにおいて、照明構造を工夫したものに関する。
【背景技術】
【０００２】
図２５は、従来の一般的な洗面化粧台４０の一例を示すものであり、前面に鏡体３１，３２を有し、上部に照明装置３４を取着したミラーキャビネット３３と、水栓器具３５を設置した洗面器３６を上部に備えるフロアキャビネット３７とから構成されている。なお中央部の鏡体３１は通常固定され、左右側方の鏡体３２は、キャビネット３３に設けた収納部の開閉扉を兼ねるため、回動可能である。
【０００３】
この種の洗面化粧台４０にあっては、次のような問題点を有している。使用者が自己の顔をよく見ようとするには、顔を鏡体に近づける必要があるが、洗面器３６等の存在のため、顔を鏡体に近づけるのが困難な場合が有る。また、照明装置３４が上方に位置するため、使用者に対し良好な照明効果が得られないことがあり、特に顔を鏡に接近させたときに、顔を適切に照らせないことが多い。
【０００４】
前記問題点を解消するための技術が特許文献１に提案されている。同特許文献１には、前後に進退可能な光不透過性のミラー部（鏡体）を中央部に配置し、その周囲を、背面側に光源を設置した光透過性のミラー部としたミラー装置が記載されている。このミラー装置によれば、中央部の光不透過性ミラー部を前進させ、周囲の光透過性ミラー部の光源を発光させることにより、顔からミラー部までの距離が短い状態で、顔を有効に照明できるとされている。
【特許文献１】特開平４−６１７０２号公報
【発明の開示】
【発明が解決しようとする課題】
【０００５】
特許文献１に記載のミラー装置は、背面に配置した光源から投射される光が通過可能な光透過性ミラー部を用いており、これが特殊な材質であるためコスト高をもたらす。また光透光性ミラー部は、背面の光源を点灯したときに、鏡として使用しにくくなるという欠点が有る。
【課題を解決するための手段】
【０００６】
本発明は前記問題を解決できる多面鏡を提供するものであって、その特徴とするところは、請求項１に記載するとおり、主鏡体部と、該主鏡体部に隣接して配置された副鏡体部とを備え、前記主鏡体部は、前後方向へ進退可能であると共に裏面側に光源が設けられ、前記副鏡体部は、前記主鏡体部に近い方の内側縁部が遠い方の外側縁部より後方となるように傾斜可能に構成され、前記主鏡体部を前記副鏡体部の内側縁部より前方へ前進させると共に前記副鏡体部を傾斜させた状態において、前記主鏡体部裏面側の光源から投射された光が、前記副鏡体部で反射されることである。
【０００７】
本発明に係る多面鏡の基本的構成は前述のとおりであるが、細部の構成は適宜変更することが可能である。例えば、請求項２に記載する如く、主鏡体部の左右に副鏡体部を配置した三面鏡構造としてもよい。
【０００８】
あるいは請求項３に記載するように、前記副鏡体部の内側縁部又はその近傍に当該副鏡体部を傾斜させる回動手段を設けると共に、当該回動手段の回動軸を前後方向へ進退可能に構成することができる。
【０００９】
あるいは請求項４に記載するように、前記副鏡体部を、当該副鏡体部の表面と平行であって且つ当該副鏡体部の内側縁部から外側縁部へ向かう方向へ移動可能としてもよい。
【００１０】
あるいは請求項５に記載するように、前記主鏡体部に、前記光源から投射される光が通過可能な光透過部を形成してもよい。
【００１１】
あるいは請求項６に記載するように、前記主鏡体部の一方の側縁部に、当該主鏡体部を回動可能に支持する回動手段を設けてもよい。
【００１２】
さらに本発明は、使用者の利便性を一層向上させるため、請求項７に記載する如く、前記主鏡体部を前後方向及び上下方向に移動可能としてもよい。
【００１３】
なお本発明に係る前記多面鏡を用いてミラーキャビネットを構成する場合、当該多面鏡をキャビネットに取り付け、前記主鏡体部及び／又は副鏡体部の裏面側を収納空間とすればよい。
【発明の効果】
【００１４】
請求項１に記載した本発明に係る多面鏡は、主鏡体部を前進させると共に副鏡体部を傾斜させ、この状態において主鏡体部裏面側の光源を点灯させると、光源からの投射光を副鏡体部が反射するから、主鏡体部の前方を適切に照射する。すなわち使用者は、鏡に向かって顔をさほど近づけなくても、顔から鏡までの距離が短い状態が得られると共に、副鏡体部で反射させた光によって顔が適切に照明されるから、自分の顔を明瞭に観察するのが容易である。また本発明では、鏡体部に一般的な鏡を使用できるから、コストの増大を抑えられる。さらに、光源の点灯時でも、主鏡体部はもとより副鏡体部も鏡として使用することができる。副鏡体部の傾斜角度を調節するだけで、反射光の反射角度を変更できるので、使用者に好適な照明状態を容易に得られる。
【００１５】
請求項２に記載したように、本発明に係る多面鏡を三面鏡構造とすれば、左右両方の副鏡体部から反射光が照射されるので、より明瞭な鏡像を得ることができる。また三面鏡であるから、左右の副鏡体部を使用して、異なる二方向から顔の観察が可能ある。
【００１６】
請求項３に記載の如く、副鏡体部を傾斜させる回動手段の回動軸を前後方向へ進退可能に構成した場合は、副鏡体部も使用者の顔に近づけることが可能なので、顔をより明るく照らすことができると共に、副鏡体部に映る鏡像も大きくなる。
【００１７】
請求項４に記載の如く、副鏡体部を、表面と平行であって内側縁部から外側縁部へ向かう方向へ移動可能に構成した場合も同様に、副鏡体部を使用者の顔に近づけることが可能となるから、顔をより明るく照らすことができると共に、副鏡体部に映る鏡像を大きくできる。
【００１８】
請求項５に記載の如く、主鏡体部に光透過部を形成した場合は、裏面側の光源からの光を、この光透過部を通して前方へ投射できるから、より優れた照明効果が得られる。
【００１９】
請求項６に記載の如く、主鏡体部の一方の側縁部に回動手段を設けて当該主鏡体部を回動可能にした場合は、主鏡体部の裏面側を収納部としたときに、物品の出し入れが容易になる。
【００２０】
請求項７に記載の如く、主鏡体部は前後方向のみならず上下方向にも移動可能にした場合は、使用者の体格や、光照射したい部位に応じ、鏡体の位置を最適な状態に調整することが容易になる。従って、きわめて使い勝手がよい。
【発明を実施するための最良の形態】
【００２１】
［第１の実施形態］
以下、本発明の実施形態を図面を用いて説明する。なお図中、従来例を示す図２５で用いたのと同じ符号は共通の部材を指している。図１は、本発明を適用したミラーキャビネットＭを備える洗面化粧台Ｋの斜視図、図２は、その平面断面図である。本発明に係るミラーキャビネットＭは、中央の主鏡体部１と左右の副鏡体部２，２とを隣接させた三面鏡構造を有する多面鏡Ｕを、キャビネット３の正面部に取り付けて構成したものである。そして、このミラーキャビネットＭを、水栓器具３５が設置された洗面器３６を上部に載設したフロアキャビネット３７と組み合わせることによって、洗面化粧台Ｋが構築されている。
【００２２】
図２（Ａ）に示すように、ミラーキャビネットＭにおける多面鏡Ｕは、初期位置では、主鏡体部１と副鏡体部２，２の表面が実質的に面一となるよう構成されている。主鏡体部１は、前後方向すなわち表面に対し実質的に垂直な方向に進退可能であり、そのための進退案内手段４が裏面の四隅に接続されている。キャビネット３側に固定される進退案内手段４は、例えばシリンダ５とロッド６とから成り、手動で主鏡体部１を前進位置まで引き出したり、初期位置まで押し込んで後退させたりできるよう成されている。なお所望に応じ、進退案内手段４を流体圧やモーター出力により駆動して、主鏡体部１を前後に進退させる機構も採用可能である。図３に示すように、主鏡体部１の裏面側における側縁部近くに光源７が設けられ、ほかに必要に応じて防曇ヒータ８等が配設される。光源７には、直管型蛍光灯や角形スリム蛍光灯等の蛍光灯・発光ダイオード（ＬＥＤ）・冷陰極管などが用いられる。
【００２３】
副鏡体部２は、主鏡体部１に近い方の内側縁部２ａにピン、ヒンジ、蝶番等から成る回動手段９が設けられ、当該回動手段の回動軸を中心に回動可能なように支持されている。なお、主鏡体部１及び副鏡体部２それぞれの裏面側は、歯ブラシスタンドｈや化粧品等を収納する収納部Ｓ１，Ｓ２と成されており、主鏡体部１及び副鏡体部２はそれぞれ、当該収納部Ｓ１，Ｓ２の開閉扉を兼ねている。
【００２４】
本発明に係る多面鏡Ｕは、図２（Ａ）に示すように、初期位置では主鏡体部１及び副鏡体部２，２の表面が面一な状態である。そして必要時に、同図（Ｂ）に示すように、主鏡体部１を前方へ引き出すと共に、副鏡体部２，２を回動させ、内側縁部２ａより外側縁部２ｂが前方となるように傾斜させる。そして、この状態で主鏡体部１の裏面側に配設した光源７を点灯させると、光源７から投射された光が副鏡体部２，２により反射され、主鏡体部１の正面に位置する使用者Ｘの顔を照らすことができる。従って使用者Ｘは、距離が短縮された主鏡体部１で適切に照明された自分の顔を見ることができるから、明瞭な鏡像を容易に得ることができ、使い勝手がきわめて良い。
【００２５】
ところで図示は省略するが、本発明に係る多面鏡Ｕは、三面鏡構造に限定されず、副鏡体部２が、主鏡体部１のいずれか一側縁部のみに隣接するものでもよい。
【００２６】
［第２の実施形態］
図４（Ａ）は、本発明に係るミラーキャビネットＭにおいて、副鏡体部２を回動可能に支持する回動手段９の回動軸９ａを、前後方向に進退できるよう構成したものである。これにより、副鏡体部２も使用者に近づけることが可能となり、より明瞭な鏡像を得ることができる。図４（Ｂ）は、回動手段９にスライダ１０を回動可能に設け、副鏡体部２をこのスライダ１０に取り付けて、内側縁部２ａから外側縁部２ｂに向かう方向へ平行移動可能に構成したものである。かかる構成によっても、副鏡体部２を使用者に接近させることが可能である。図４（Ｃ）は、上記図（Ａ）及び図（Ｂ）の構造を併用したものである。すなわち、副鏡体部２を回動可能に支持する回動手段９を前後方向に進退可能に構成すると共に、回動手段９に回動可能に設けたスライダ１０に、副鏡体部２を平行移動可能に取り付けたものである。かかる構成によれば、副鏡体部２を、より一層使用者に接近させることが可能なので、使い勝手が非常に良い。
【００２７】
［第３の実施形態］
図５に示す例は、副鏡体部２の裏面側における外側縁部２ｂ寄りに、幅寸法の短い鏡体から成る延長部１１を、蝶番１２等で回動可能に取り付けたものである。かかる構成によれば、副鏡体部２を回動させて傾斜させた状態において、前記延長部１１を回動させて副鏡体部２の外側縁部２ｂに隣接させることにより、副鏡体部２の幅寸法を拡大することができる。
【００２８】
図６は、副鏡体部２の幅寸法を拡大するための異なる手段を示すものである。本例は、
副鏡体部２の裏面側に配置した延長部１１の端面にガイド溝部材１３を取着し、副鏡体部２の端面に回動自在に取り付けたリンク１４の先端部を、上記ガイド溝部材１３へ摺動自在に接続する構成を採用した。なお副鏡体部２の外側縁部２ｂの端面には、副鏡体部２を傾斜回動させる際の把手を兼用するストッパ１５を装着しておく。上記リンク１４が基端側では回動自在であり、先端側ではガイド溝部材１３に沿って摺動自在であることを利用して、延長部１１を副鏡体部２の外側縁部２ｂに隣接させることができる。すなわち図６（Ａ）のように、延長部１１を副鏡体部２の裏面に沿って移動させたのち、同図（Ｂ）に示すように、延長部１１を手前側へ引き出せばよい。
【００２９】
［第４の実施形態］
図７（Ａ）（Ｂ）に示すように、主鏡体部１における光源７と接する部位のうちの適宜箇所を、光の通過が可能な光透過部１６に形成することも考えられる。本例では、主鏡体部１の上下端部近くに上記光透過部１６を形成した。これにより、光源７から投射される光が、側方の副鏡体部２で反射されて使用者を照射すると同時に、上記光透過部１６を通過して使用者を照射するから、照明性能が向上する。なお、主鏡体部１における上下の光透過部１６，１６の間の領域は、光透過部を設けると正面に位置する使用者に眩しいことがあるので、この領域は光透過部の形成を避けるのが望ましい。もし形成するとするならば、非常に発光面積の小さい例えば点状・線状の光透過部とすることが考えられる。光透過部１６を形成する手段としては、主鏡体部１がガラス板１ｂの表面に銀幕１ａを形成して成るものの場合、銀幕１ａの一部をサンドブラスト等によって除去することが考えられる。あるいは主鏡体部１の製作時に、部分的にマスクして銀幕１ａの非形成部を設けてもよい。なお図示する例では、光源７に角形スリム蛍光灯を用いた。また、光透過部１６には粗面加工を施して、透過光を散乱させることが望ましい。
【００３０】
［第５の実施形態］
図８は、主鏡体部１の一方の側縁部１ｃを回動手段で回動可能に支持し、他方の側縁部１ｄが揺動するように構成したものである。この例では、図（Ｃ）に示す如く、一方の側縁部１ｃを、保護カバー１７を介して、進退案内手段４の先端部に設けた回動手段１８により回動可能に支持し、他方の側縁部１ｄには、図（Ｄ）に示す如く、保護カバー１７の上に鉄板等の磁着性部材１９を配置した。また、他方の側縁部１ｄ側の進退案内手段４の先端部に、磁石２０を装着した。かかる構成により主鏡体部１を、図８（Ａ）のように前進させた後、同図（Ｂ）のように回動させることが可能であるから、主鏡体部１の裏面側を収納部としたときに、物品の出し入れが容易になる。
【００３１】
図９は上記実施形態の変形例であり、光源７を、進退案内手段４，４間に設けたフレームに装着し、主鏡体部１とは分離可能に構成したものである。従って本例では、主鏡体部１を、図（Ａ）のように前進させた後、同図（Ｂ）のように回動させたときに、光源７の位置が変化せず、よって照明状態が大きく変化しないという利点が得られる。
【００３２】
［第６の実施形態］
図１０に示すミラーキャビネットＭは、同図（Ａ）に示す如く、初期状態では中央の主鏡体部１が左右の副鏡体部２，２より若干後方に位置し、副鏡体部２が、外側縁部２ｂを回動軸として回動可能なように構成したものである。従って必要時には、同図（Ｂ）の如く、主鏡体部１を前進させると共に、副鏡体部２の内側縁部２ａを後方へ回動させて傾斜させ、これにより、光源から投射される光を副鏡体部２で反射可能になる。
【００３３】
［第７の実施形態］
図１１に示すように、主鏡体部１に隣接させる副鏡体部２は、主鏡体部１の上方又は下方に配置することも可能である。
【００３４】
［第８の実施形態］
図１２に示すミラーキャビネットＭは、中央の主鏡体部１と左右の副鏡体部２，２とから成る三面鏡構造において、主鏡体部１を、裏面の四隅に配設した進退案内手段４により前後方向に進退可能とする共に、後述する昇降案内手段により上下方向に昇降可能である可動鏡としたところを特色とするものである。さらに、当該主鏡体部１は、裏面側だけでなく上端部前方にも光源７を配設したところも特色としている。
【００３５】
かかる構成により、上記ミラーキャビネットＭの使用者は、所望により、主鏡体部１を前方へ引き出して顔に近づけ見易くすることができるのみならず、主鏡体部１を上下に昇降させて身長等に合わせた最適位置に配置することが可能である。すなわち、使用者の背が高いときは、光源７からの光が視野に入らないよう、主鏡体部１を上方へ移動させることができる。使用者の背が低いときは、光源７からの光で確実に顔が照射されるよう、主鏡体部１を降下させればよい。さらに光照射したい部位の高さに応じて、主鏡体部１を昇降させることも可能である。
【００３６】
なお前記第１の実施形態と同じく、主鏡体部１の裏面側にも光源７が配置されているから、副鏡体部２，２を回動させ、内側縁部２ａより外側縁部２ｂが前方となるように傾斜させることにより、光源７から投射された光が副鏡体部２，２で反射されて主鏡体部１の前方を照射するのは、前記実施形態と同様である。
【００３７】
図１３は、主鏡体部１を前後方向すなわち表面に対し実質的に垂直な方向に進退させるための進退案内手段４の一例を示すものである。進退案内手段４は、なるべく進退操作が円滑で抵抗の少ないことが望ましい。このような進退案内手段４としては、シリンダ５と該シリンダ５内へ挿入されたロッド６とから成り、シリンダ５の内周面には例えばボールベアリング５ａ等の転動手段を配設して、ロッド６を手動で滑らかに前進後退できるようになした構成が考えられる。なおロッド６の後端部付近には、抜け止め用のストッパ６ａを設けてある。
【００３８】
図１４に示す進退案内手段４は、シリンダ５の内周面に適数個のＯリング５ｂ，５ｂを配設し、このＯリング５ｂでロッド６を保持すると共に、Ｏリング５ｂの潤滑性でロッド６が滑らかに進退するよう構成したものである。なお本例でも、ロッド６の後端部に抜け止め用のストッパ６ａを設け、該ストッパ６ｂが、シリンダ５の内周面に形成した段部と係合するように設定してある。
【００３９】
図１５（Ａ）に示す如く、進退案内手段４は、光源７や防曇ヒータ８に近接させることができるから、電力供給用の電気配線Ｌの通路として利用することが考えられる。すなわち、図１５（Ｂ）に示すように、シリンダ５の末端部に開口５ｃを形成すると共に、ロッド６の内部に貫通孔６ｃを設け、電気配線Ｌを、シリンダ５の開口５ｃ及びロッド６の貫通孔６ｃ内を経由させ、ロッド６の先端部付近から外部へ引き出して光源７や防曇ヒータ８等の電気器具に接続する。かかる構成によれば、電気配線Ｌの外部に露出する部分が少なくなるから、見栄えが良くなるだけでなく、安全性も向上する。
【００４０】
図１６は、主鏡体部１を上下に昇降させる昇降案内手段５０の一例を示すものである。本例では、進退可能なロッド５３を備えるシリンダ５１を、当該ロッド５３の進退方向が上下方向となるように、ブラケット５２で主鏡体部１の裏面に固定し、前記ロッド５３の先端部に設けたピニオン５５を、主鏡体部１の裏面に配設したラック５４と噛合させると共に、当該ピニオン５５を進退案内手段４のロッド６の先端部にも固定する構造を採用した。さらに、ピニオン５５は、例えば高トルクダンパー機能リングを装着して所要の回転抵抗を付与する等の手段により、回転させるのに大きいトルクを要するように構成した。
【００４１】
かかる構成によれば、進退案内手段４のロッド５５に対し、昇降案内手段５０のロッド５３及びピニオン５５は位置固定されている。従って主鏡体部１は、シリンダ５１をロッド５３に対し進退させると同時にラック５４でピニオン５５を回転させつつ、進退案内手段４に対し昇降することとなる。このとき、ピニオン５５の回転に要するトルクを十分大きい所定範囲内に設定しておけば、主鏡体部１の自重ではピニオン５５が回転することがないようにでき、しかも使用者が主鏡体部１を容易に昇降させることができ、且つ、主鏡体部１を任意の高さ位置に保持することが可能である。
【００４２】
図１７は、主鏡体部１の昇降案内手段５０の異なる例を示すものである。本例は、ロッド５３のシリンダ５１に対する進退移動に所要の摺動抵抗を付与した高抵抗シリンダ式スライダーを用いたものである。本例によっても、主鏡体部１の昇降操作が容易であり、主鏡体部１が自重では下降せず、任意の高さ位置に保持することが可能となる。
【００４３】
さらに図１８に示す如く、主鏡体部１の裏面側に固定した案内レール５７内に、進退案内手段４のロッド６の先端に固定したスライダー５８を摺動可能に内装すると共に、案内レール５７とスライダー５８との間に所要の摺動抵抗を付与した、高抵抗スライドレールで昇降案内手段５０を構成することも可能である。
【００４４】
なお図示は省略したが、主鏡体部１と、これを支持する進退案内手段４との間にカウンターバランスを設けたり、バネ部材を配したりして、主鏡体部１の昇降操作をより円滑且つ容易にすることも考えられる。
【００４５】
［第９の実施形態］
前記第１の実施形態において、主鏡体部１の裏面側に配設した光源７の高さ方向の長さが非常に長い場合（図３参照）、左右の副鏡体部２，２で反射された照射光が使用者の視野内へ直接的に入射し、眩しさを感じさせるおそれがある。そこで図１９に示すように、光源７における高さ方向の中央領域を適当範囲にわたり、遮光部材６０で覆うことが考えられる。これにより、図２０に例示する如く、光源７から照射され副鏡体部２で反射される光が上下領域に制限され、中央領域Ｒの反射光が無くなるので、使用者の視野に直接入射する光が減少し、眩しさを抑制することが可能である。
【００４６】
なお上記遮光部材６０は、完全に光を遮断するもののほか、多少の透光性を有するもの（例えば磨りガラス状、半透明状）も使用できる。さらに、光源７の表面に接して被覆する形態のほか、光源７と副鏡体部２との間に立設する衝立状形態の遮光板も採用可能である。
【００４７】
光源７から照射され副鏡体部２で反射される光を上下領域に制限し、中央領域Ｒの反射光を無くす手段としては、図２１に示す如く、主鏡体部１の裏面側における上下端部近くに、長さの比較的短い光源７Ａを配置することが考えられる。この場合、図２２に示すように、反射光が使用者の視野に直接入らないような角度となるように、光源７Ａを傾斜させて配置することも可能である。さらには、図２３に示すように、光源７Ａを保持するブラケット６１を、主鏡体部１の裏面にヒンジ６２で回動可能に取り付け、光源７Ａの傾斜角度を調節できるようにしてもよい。なお、当該ブラケット構造は、前記２１，２２のいずれの光源７Ａにも適用し得る。
【００４８】
さらに図２４に示すように、光源７Ａを傾斜させるのではなく、光源７Ａと主鏡体部１との間に配置した反射板６３をヒンジ６４で回動可能とし、反射板６３の姿勢を変化させることで、光源７Ａの光の照射角度を調節することも考えられる。
【産業上の利用可能性】
【００４９】
本発明に係る多面鏡や可動鏡は、洗面化粧台に適用するほか、単独で用いたり、通常の化粧台やドレッサーに適用することが可能である。
【図面の簡単な説明】
【００５０】
【図１】本発明の第１の実施形態に関するものであって、本発明に係る多面鏡を用いたミラーキャビネットを備える洗面化粧台の斜視図である。
【図２】本発明の第１の実施形態に係るものであって、図（Ａ）は図１に示す洗面化粧台の初期状態を示す平面断面図、図（Ｂ）は使用状態を示す平面断面図である。
【図３】本発明の第１の実施形態に係るものであって、多面鏡の主鏡体部を裏面側から見た斜視図である。
【図４】本発明の第２の実施形態に係るものであって、図（Ａ）は洗面化粧台の要部を示す平面断面図、図（Ｂ）は異なる態様の洗面化粧台の要部を示す平面断面図、図（Ｃ）はさらに異なる態様の洗面化粧台の要部を示す平面断面図である。
【図５】本発明の第３の実施形態に係るものであって、洗面化粧台の要部を示す平面断面図である。
【図６】本発明の第３の実施形態の異なる態様に係るものであって、図（Ａ）は延長部を移動させる前の副鏡体部を示す平面断面図、図（Ｂ）は延長部を移動させた状態の副鏡体部を示す平面断面図である。
【図７】本発明の第４の実施形態に係るものであって、図（Ａ）は主鏡体部を裏面側から見た斜視図、図（Ｂ）は主鏡体部を正面側から見た斜視図、図（Ｃ）は図（Ｂ）のＣ−Ｃ線において断面した要部の側面断面図である。
【図８】本発明の第５の実施形態に係るものであって、図（Ａ）は主鏡体部の平面図、図（Ｂ）は主鏡体部を回動させた状態の平面図、図（Ｃ）は図（Ｂ）のα部分を拡大して示す要部の平面図、図（Ｄ）は図（Ｂ）のβ部分を拡大して示す要部の平面図である。
【図９】本発明の第５の実施形態の異なる態様に係るものであって、図（Ａ）は主鏡体部の平面図、図（Ｂ）は主鏡体部を回動させた状態の平面図である。
【図１０】本発明の第６の実施形態に係るミラーキャビネットを示すものであって、図（Ａ）は初期状態の斜視図、図（Ｂ）は使用状態の斜視図である。
【図１１】本発明の第７の実施形態に係る洗面化粧台を示す斜視図である。
【図１２】本発明の第８の実施形態に係るものであって、主鏡体部が前後及び上下に可動であるミラーキャビネットを示す斜視図である。
【図１３】主鏡体部の前後移動を案内する進退案内手段の一例を示すものであって、図（Ａ）は側面断面図、図（Ｂ）は図（Ａ）のＢ−Ｂ線における断面図である。
【図１４】主鏡体部の前後移動を案内する進退案内手段の他の例を示す側面断面図である。
【図１５】進退案内手段を電気配線の通路に利用する例を示すものであって、図（Ａ）は主鏡体部を裏面側から見た要部の斜視図、図（Ｂ）は進退案内手段を断面して示す側面図である。
【図１６】主鏡体部の上下移動を案内する昇降案内手段の一例を示す要部の側面図である。
【図１７】主鏡体部の上下移動を案内する昇降案内手段の他の例を示す要部の側面図である。
【図１８】主鏡体部の上下移動を案内する昇降案内手段のさらに異なる例を示すものであって、図（Ａ）は要部の側面断面図、図（Ｂ）は要部の背面断面図である。
【図１９】本発明の第９の実施形態に係るものであって、主鏡体部を裏面側から見た斜視図である。
【図２０】本発明の第９の実施形態に係るものであって、ミラーキャビネットを示す斜視図である。
【図２１】本発明の第９の実施形態の異なる態様を示すものであって、主鏡体部を裏面側から見た斜視図である。
【図２２】本発明の第９の実施形態のさらに異なる態様を示すものであって、主鏡体部を裏面側から見た斜視図である。
【図２３】本発明の第９の実施形態のさらに異なる態様を示すものであって、主鏡体部を中間省略して示す側面図である。
【図２４】本発明の第９の実施形態のさらに異なる態様を示すものであって、主鏡体部を中間省略して示す側面図である。
【図２５】従来の洗面化粧台を示す斜視図である。
【符号の説明】
【００５１】
Ｋ…洗面化粧台  Ｍ…ミラーキャビネット  Ｕ…多面鏡  Ｘ…使用者  １…主鏡体部  ２…副鏡体部  ２ａ…内側縁部  ２ｂ…外側縁部  ３…キャビネット  ４…進退案内手段  ７…光源  ８…防曇ヒータ  ９…回動手段  ５０…昇降案内手段  ６０…遮光部材
【図１】
2006340877.tif 000003
【図２】
2006340877.tif 000004
【図３】
2006340877.tif 000005
【図４】
2006340877.tif 000006
【図５】
2006340877.tif 000007
【図６】
2006340877.tif 000008
【図７】
2006340877.tif 000009
【図８】
2006340877.tif 000010
【図９】
2006340877.tif 000011
【図１０】
2006340877.tif 000012
【図１１】
2006340877.tif 000013
【図１２】
2006340877.tif 000014
【図１３】
2006340877.tif 000015
【図１４】
2006340877.tif 000016
【図１５】
2006340877.tif 000017
【図１６】
2006340877.tif 000018
【図１７】
2006340877.tif 000019
【図１８】
2006340877.tif 000020
【図１９】
2006340877.tif 000021
【図２０】
2006340877.tif 000022
【図２１】
2006340877.tif 000023
【図２２】
2006340877.tif 000024
【図２３】
2006340877.tif 000025
【図２４】
2006340877.tif 000026
【図２５】
2006340877.tif 000027